(57)【要約】【課題】  取り付けやメンテナンスなどの作業性に優れ、且つ、アーク放電などによる引火を回避することが可能な消炎機能を備えた電子機器を提供する。【解決手段】  陰極線管１０に磁束を消磁するデガウスコイル１１を当接させ、この陰極線管１０に高電圧を印加するフライバックトランス２１に接続された高電圧配線１３が、陰極線管１０に設けられたアノード部１２に接続されている。デガウスコイル１１に柔軟性を有する消炎シート３０を回動自在に枢支し、アノードキャップ１４に消炎シート３０を覆設している。これによりアーク放電により表示装置１のキャビネット２などに引火することを防止でき、安全性に優れた表示装置を提供できる。【選択図】      図１
2005244608.tif 000002
【特許請求の範囲】
【請求項１】
陰極線管に磁束を消磁するデガウスコイルを当接させて設けた電子機器において、前記陰極線管に高電圧を印加するフライバックトランスに接続されている高電圧配線が、前記陰極線管に設けられたアノード部に接続され、前記高電圧配線の先端側に取り付けられたアノードキャップを前記陰極線管に固定すると共に、前記デガウスコイルに柔軟性を有する消炎シートを回動自在に枢支し、前記アノードキャップに前記消炎シートを覆設したことを特徴とする消炎機能を備えた電子機器。
【請求項２】
前記消炎シートに係止部を形成し、該係止部を前記デガウスコイルに係止することを特徴とする請求項１記載の消炎機能を備えた電子機器。
【請求項３】
前記係止部は、前記消炎シートに形成される切込み部又は取付孔であることを特徴とする請求項２記載の消炎機能を備えた電子機器。
【請求項４】
前記消炎シートの厚さを１．０ｍｍ以下にしたことを特徴とする請求項１〜３に記載の何れか１項に記載の消炎機能を備えた電子機器。
【発明の詳細な説明】
【技術分野】
【０００１】
本発明は、表示装置の陰極線管のアノードキャップからアーク放電した際に、漏電やスパークなどによって不測の事態により火災などが起こることを回避する消炎機能を備えた電子機器に関する。
【背景技術】
【０００２】
従来から用いられているテレビジョン受像機においては、そのキャビネット内に陰極線管たるブラウン管が固定され、このブラウン管のアノード部に高電圧を印加するために、アノード部に接続する配線の端部にアノードキャップを取り付け、このアノードキャップをブラウン管に係合させてアノード部に配線接続されている。
【０００３】
しかし、このような従来技術においては、経年変化によって、アノードキャップがひび割れを引き起こすことがあり、或いは、使用年月が長くなると湿気や油分を含んだ埃などがアノードキャップ近傍に溜まり、それが原因でアーク放電が生じることが知られている。例えば、ブラウン管に設けられているアノード部とキャビネットとの距離が近接している場合には、アーク放電によりキャビネットに引火したり、漏電に伴いキャビネットに触れて感電する懸念があった。
【０００４】
このような問題点を解決するために、特許文献１及び特許文献２においては、テレビジョン受像機のフロントキャビネットの内側にレール部を設け、このレール部をガイドにして、バリアを挿入し、フロントキャビネットにバックキャビネットを嵌め込むことで消炎性を有するバリアを固定して、アーク放電による火災を回避する手法が開示されている。また、特許文献３には、アノードキャップを覆い、アノードからのアークによる発火を防止するアノードカバーが紹介されている。
【０００５】
【特許文献１】実開平５−６１７８６号公報
【特許文献２】実開平６−５２７０号公報
【特許文献３】実開平５−７３８４７号公報
【発明の開示】
【発明が解決しようとする課題】
【０００６】
しかし、上記特許文献１及び特許文献２の構造は、予めキャビネットにレール部を形成しなければバリアを設ける手段がないことから、既存のキャビネットを有効的に使用することができない。さらに、一般的なテレビジョン受像機などの表示装置を備えた電子機器においては、全体をコンパクトに形成するために、ブラウン管に設けられたアノード部とキャビネットとの隙間が狭く、この隙間にバリアを挿入するとなると、バリアの厚みによりスムーズに挿入できず、作業性が大変悪いものであった。
【０００７】
しかも、一般的にフロントキャビネットとバックキャビネットは、その嵌合を強固にするために、その両天面にリブが一体に形成されている。しかしながら、このバリアを取り付けるためには、リブを削除しなければ実質的にバリアを取り付けることができず、仮に、バリアを取り付けるためにリブを取り除いてしまうと、強度的に弱くなってしまう。また、上記バリアは強固な固体物であるため、キャビネットにバリアを挿入する際に、ブラウン管に接続されているアノードワイヤたる配線にバリアが接触して被覆を傷つける可能性が高い。また、同一のキャビネットに複数の種類のブラウン管を設ける際には、その大きさにあわせて大幅に形状を変更する必要があるなどの欠点がある。
【０００８】
また、特許文献３の構造においては、本来一番必要とする条件である、アノード部がフロントキャビネットの後方にあり、フロントキャビネットとの距離が近い場合には、アノードカバーを取り付け難く、さらに、メンテナンスをする際においても一度取り付けられたアノードカバーを取り外すには取り外し難く、メンテナンス性に優れるとは言えるものではなかった。
【０００９】
本発明は、上記課題を解決するものであり、取り付けやメンテナンスなどの作業性に優れ、且つ、アーク放電などによる引火を回避することが可能な消炎シートを有する消炎機能を備えた電子機器を提供することをその目的とする。
【課題を解決するための手段】
【００１０】
本発明の請求項１の消炎機能を備えた電子機器は、陰極線管に磁束を消磁するデガウスコイルを当接させて設けた電子機器において、前記陰極線管に高電圧を印加するフライバックトランスに接続されている高電圧配線が、前記陰極線管に設けられたアノード部に接続され、前記高電圧配線の先端側に取り付けられたアノードキャップを前記陰極線管に固定すると共に、前記デガウスコイルに柔軟性を有する消炎シートを回動自在に枢支し、前記アノードキャップに前記消炎シートを覆設したことを特徴とする。
【００１１】
請求項１の構成により、長年電子機器を使用することに伴い経年変化などにより、アノードキャップがひび割れを起こし本来の絶縁機能を発揮できなくなったり、或いは、長期間に亘り電子機器を使用することにより、湿気や油分を含んだ埃などがアノードキャップ近傍に体積して、アノードキャップやその近傍からアノード部からのアーク放電が生じてしまい埃などに引火することを、柔軟性を有する消炎シートが自重などによりアーク放電の起こり易いアノードキャップ及びその近傍を密着させた状態で覆うことができるから、アーク放電による引火を確実に回避できる。
【００１２】
本発明の請求項２の消炎機能を備えた電子機器は、前記請求項１記載の消炎機能を備えた電子機器において、前記消炎シートに係止部を形成し、該係止部を前記デガウスコイルに係止することを特徴とする。
【００１３】
請求項２の構成により、単に、デガウスコイルに消炎シートの係止部を係止して、アーク放電の懸念のあるアノードキャップ及びその近傍を消炎シートにより容易に覆うことができるので、消炎シートの取付作業を効率良く行うことができる。
【００１４】
本発明の請求項３の消炎機能を備えた電子機器は、前記請求項２記載の消炎機能を備えた電子機器において、前記係止部は、前記消炎シートに形成される切込み部又は取付孔であることを特徴とする。
【００１５】
請求項３の構成により、単に、デガウスコイルに消炎シートの切込み部又は取付孔、或いは切込み部及び取付孔を係止することにより、アーク放電の懸念のあるアノードキャップ近傍を消炎シートにより覆うことができるので、消炎シートの取り付けを容易に行える。
【００１６】
本発明の請求項４の消炎機能を備えた電子機器は、請求項１〜３に記載の何れか１項に記載の消炎機能を備えた電子機器において、前記消炎シートの厚さを１．０ｍｍ以下にしたことを特徴とする。
【００１７】
請求項４の構成により、消炎シートの薄さを薄くしたので、厚さの厚い消炎シートに比べ、アーク放電の起こり易いアノードキャップ近傍をより一層密着させた状態で覆うことができるから、アーク放電による引火を確実に回避できる。
【発明の効果】
【００１８】
本発明の請求項１の消炎機能を備えた電子機器によれば、陰極線管に磁束を消磁するデガウスコイルを当接させて設けた電子機器において、前記陰極線管に高電圧を印加するフライバックトランスに接続されている高電圧配線が、前記陰極線管に設けられたアノード部に接続され、前記高電圧配線の先端側に取り付けられたアノードキャップを前記陰極線管に固定すると共に、前記デガウスコイルに柔軟性を有する消炎シートを回動自在に枢支し、前記アノードキャップに前記消炎シートを覆設しているから、アーク放電により表示装置のキャビネットなどに引火することを防止でき、安全性に優れた消炎機能を備えた電子機器を提供することができる。
【００１９】
本発明の請求項２の消炎機能を備えた電子機器は、前記請求項１記載の消炎機能を備えた電子機器において、前記消炎シートに係止部を形成し、該係止部を前記デガウスコイルに係止したものであるから、消炎シートの取付作業性を効率的に行えるので、生産性が向上し、低コストで安価な消炎機能を備えた電子機器を提供することができる。
【００２０】
本発明の請求項３の消炎機能を備えた電子機器によれば、前記請求項２記載の消炎機能を備えた電子機器において、前記係止部は、前記消炎シートに形成される切込み部又は取付孔であるから、消炎シートの取り付けを短時間で効率的に行うことができる。
【００２１】
本発明の請求項４の消炎機能を備えた電子機器によれば、請求項１〜３記載の何れか１項に記載の消炎機能を備えた電子機器において、前記消炎シートの厚さを１．０ｍｍ以下にしたから、アノードキャップ近傍を密着させた状態で覆うことができ、アーク放電による引火をより一層確実に防止できる。
【発明を実施するための最良の形態】
【００２２】
以下、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００２３】
図１は本実施例における消炎機能を備えた電子機器のリアキャビネットを取り外した状態の斜視図であり、図２はデガウスコイルに消炎シートを取り付けた状態の陰極線管を示す斜視図であり、図３は、デガウスコイルに消炎シートを取り付けた状態を示す正面図である。
【００２４】
１は電子機器たるテレビジョン受像機などの表示装置である。この表示装置１は、キャビネット２がそれぞれ合成樹脂から成るフロントキャビネット２Ｆとバックキャビネット２Ｒとに分割されるようになっている。フロントキャビネット２Ｆには、陰極線管１０が固定されており、その前面には画像を表示する表示部３が設けられ、この表示部３の下部両側に図示しないスピーカ部及び複数の操作ボタンなどが設けられており、陰極線管１０の背面側には、断面円形型の線状のデガウスコイル１１が陰極線管１０の形状に対応してロ字型に当接されて設けられている。また、陰極線管１０には、フライバックトランス２１から高電圧用配線１３により高電圧の印加されるアノード部１２が設けられていて、その上部にアノードキャップ１４がアノード部１２やその近傍を覆いアーク放電を防止するために陰極線管１０に取り付けられている。なお、前記アノードキャップ１４は、その材質がシリコーン等の弾力性及び絶縁性を有するものとなっている。
【００２５】
フロントキャビネット２Ｆには、図示はしないが表示装置１を駆動するための各種電子部品２０などやフライバックトランス２１を実装する回路基板２２が設けられていて、フライバックトランス２１に接続されている高電圧用配線１３の先端に取り付けられている端子１３Ａが、陰極線管１０に設けられているアノード端子１２Ａに接続されている。
【００２６】
また、陰極線管１０には、図７に示すように、アノード端子１２Ａとアノード端子１２Ａの周囲に塗布されている絶縁膜としての絶縁部１６と広い範囲でアースをとるために塗布されている導電膜としての黒鉛部１５を有し、絶縁部１６や絶縁部１６と黒鉛部１５の間Ｓなどに埃などが溜まってアーク放電することを回避するために、消炎シート３０が、アノードキャップ１４及びこのアノードキャップ１４よりひと回り大きい絶縁部１６、そしてこれらの近傍である絶縁部１６と黒鉛部１５の間Ｓなどを覆うようにして設けられている。なお、前記黒鉛部１５は導電性を有することがその目的なので、埃などが溜まったとしても特に問題はないものであり、消炎シート３０は、図８に示すように、少なくともアノードキャップ１４を覆い、さらに絶縁部１６を覆い、なお且つ、絶縁部１６と黒鉛部１５の間Ｓを覆うことがより好ましい。
【００２７】
ここで、本実施例における消炎シート３０についてさらに詳しく説明すると、本実施例における消炎シート３０は、図３に示すように、全体が矩形に形成され、その縁部近傍に係止部３１たるスリット状の複数の切込み部３１Ａ，３１Ａを形成し、陰極線管１０のデガウスコイル１１に係止すると共に、切込み部３１Ａ，３１Ａ間に形成された取付孔３１Ｂに結束バンド３２などを挿通させてデガウスコイル１１に取り付け、デガウスコイル１１に対して消炎シート３０が回動自在に軸支されている。なお、本実施例における係止部３１は、切込み部３１Ａ及び取付孔３１Ｂとしているがこれらに限定されるものではなく、図４に示すように、これらに代えて消炎シート３０にＬ字型などの屈曲した切欠部３１Ｃなどを形成してもよく、このような、本実施例における係止部３１の形状に限定するものではなく、デガウスコイル１１に対して、消炎シート３０を回動自在に枢支可能であれば種々の変形が可能である。
【００２８】
なお、本実施例において用いられている消炎シート３０は、自己消炎性があり難燃性定格を有し、前述したように、その材質にシリコーンを有しており、その厚さを望ましくは、１．０ｍｍ以下、より好ましくは、０．２〜０．４ｍｍ、実際には、０．２ｍｍの柔軟性を有する厚さの薄い極薄のものであり、このように消炎シート３０の厚さを薄くしたことにより、例えば、厚さの厚い消炎シートに比べ、アーク放電の起こり易いアノードキャップ及び絶縁部１６、さらにこれらの近傍を、より一層密着させた状態で覆うことができ、アノード部１２からのアーク放電による引火を確実に回避できるようになっている。（本実施例における消炎シートは、信越化学工業株式会社製  シリコーンゴムＫＥ５６１２Ｇを使用している）。
【００２９】
次に以上のように構成される本実施例の消炎シートの組付け手順について説明する。
【００３０】
先ず、図３に示すように、消炎シート３０をデガウスコイル１１に装着する。装着の際、図３における消炎シート３０上部の左右の切込み部３１Ａ，３１Ａをデガウスコイル１１に係止し、次に、切込み部３１Ａ，３１Ａ間中央に形成された取付孔３１Ｂを利用し、ピーズバンド又は一般的な結束バンド３２などで消炎シート３０とデガウスコイル１１を結束して固定する。そして、消炎シート３０を枢支しているデガウスコイル１１を、テープ４０により陰極線管１０に貼着する（図２に示した状態）。そして、このような陰極線管１０をフロントキャビネット２Ｆに取り付け、次に、フロントキャビネット２Ｆに電子部品２０の実装されている回路基板２２を取り付けて、回路基板２２のフライバックトランス２１に接続されている高電圧配線１３の先端の端子１３Ａを陰極線管１０のアノード端子１２Ａに接続するとともに、アノードキャップ１４の周縁部をアノード端子１２Ａの周囲に塗布されている絶縁膜としての絶縁部１６に密着させることによってアノードキャップ１４の固定を行う。この場合、デガウスコイル１１に枢支されている消炎シート３０は、デガウスコイル１１に回動自在に枢支されているので、上方向に回転させ軽く持ち上げて接続作業を行う。そして、陰極線管１０にアノードキャップ１４を取り付けた後、消炎シート３０の自重などによりアノードキャップ１４の上部及び絶縁部１６、及び絶縁部１６と黒鉛部１５の間Ｓ、そしてこれらの近傍に消炎シート３０を当接するように下方に下ろし密着させる。
【００３１】
このように、デガウスコイル１１に消炎シート３０を装着し、消炎シート３０の取り付けられたデガウスコイル１１を陰極線管１０に取り付けた後に、これらの取り付けられた陰極線管１０を表示装置１のフロントキャビネット２Ｆに取り付けるから、フロントキャビネット２Ｆと陰極線管１０との間隔や位置などを考慮せずにフロントキャビネット２Ｆへのリアキャビネット２Ｒの取り付けができ、容易に表示装置１内に消炎シート３０を備えることができるので、作業性が向上する。
【００３２】
以上のように、本実施例によれば、陰極線管１０に磁束を消磁するデガウスコイル１１を当接させて設けた表示装置１などの電子機器において、陰極線管１０に高電圧を印加するフライバックトランス２１に接続されている高電圧配線１３が、陰極線管１０に設けられたアノード部１２に接続され、高電圧配線１３の先端側に取り付けられたアノードキャップ１４を陰極線管１０に固定すると共に、デガウスコイル１１に柔軟性を有する消炎シート３０を回動自在に枢支し、アノードキャップ１４に消炎シート３０を覆設したので、長年、表示装置１を使用することに伴い経年変化などにより、アノードキャップ１４がひび割れを起こし本来の絶縁機能を発揮できなくなったり、或いは湿気や油分を含んだ埃などが、アノードキャップ１４及び絶縁部１６、これらの近傍などに体積して、アノードキャップ１４やその近傍からアーク放電が生じて埃などに引火することを、柔軟性を有する消炎シート３０の自重などにより、アノードキャップ１４および絶縁部１６、そしてこれらの近傍を密着した状態で上方から覆うことができるから、アノード部１２からのアーク放電による引火を確実に回避でき、安全性に優れた表示装置１を提供することができる。
【００３３】
さらに、消炎シート３０の係止部３１、すなわち切込み部３１Ａ又は取付孔３１Ｂを、単に、デガウスコイル１１に係止することにより、消炎シート３０によりアーク放電の懸念のあるアノードキャップ１４近傍を煩わしい作業を必要とせずに容易に覆うことができるので、消炎シート３０の着脱が容易に行えると共に、取り付け作業性を効率的に行うことができる。従って、生産性が向上するとともに低コストで安価な表示装置１を提供できる。しかも、消炎シート３０の厚さを１．０ｍｍ以下、より好ましくは、０．２〜０．４ｍｍ、実際には、０．２ｍｍとし、消炎シート３０の薄さをこのように極めて薄くしたので、厚さの厚い消炎シートに比べ、アーク放電の起こり易いアノードキャップ及びその近傍などをより一層密着させた状態で覆うことができるから、アーク放電による引火をより確実に回避できるので、アーク放電のおき易い箇所に近接するキャビネット２などの構成部材に引火して火災などが起こることを回避することができる。しかも、消炎シート３０は、従来のもののように強固な固体物ではないので、高電圧配線１３の被覆を傷つけることがない。また、同一形状の既存のキャビネット２に異なる形状の種類の陰極線管１０を設ける際には、消炎シート３０が矩形型であるから、その大きさや形状にあわせて、消炎シート３０の形状や大きさを適宜対応させて容易に切断などして加工することができるので汎用性に優れる。さらに、フロントキャビネット２Ｆとアノードキャップ１４間の間隔が狭かったり、或いは、その隙間に、リブや凹凸形状あったとしても、消炎シート３０は、柔軟性があることから、消炎シートを撓ませて、その取り付けを容易にできる。また、表示装置１のメンテナンスをする際においては、消炎シート３０が回動自在に軸支されているから、単に、消炎シート３０を上方に持ち上げて、アノードキャップ１４、アノード部１２などの点検及び修理などが可能なので、メンテナンス性に優れる。
【００３４】
以上、本発明の一実施例について詳述したが、本発明は、前記実施例に限定されるものでなく、本発明の要旨の範囲内で種々の変形実施が可能である。例えば、前記実施例では、テレビジョン受像機などの表示装置１に消炎シート３０を取り付けた例を示したが、表示装置に限らず、引火の懸念のある各種電子機器に適用することも可能である。また、消炎シート３０の形状、デガウスコイル１１への消炎シートの係止方法、若しくは、係止部３１の形状なども適宜設定すればよい。また、前記実施例では、アノードキャップ１４の上方に１枚の消炎シート３０を覆設した例を示したが、アーク放電されるその電圧の高さに応じて適宜枚数を増減してもよいものである。この場合、複数の消炎シート３０，３０を重ねて設ければ、より確実にアーク放電に伴う引火を防止できる。
【図面の簡単な説明】
【００３５】
【図１】本発明の一実施例のリアキャビネットを取り外した状態を示す表示装置の斜視図である。
【図２】同上、フロントキャビネットへの取り付ける途中の状態を示す斜視図である。
【図３】同上、デガウスコイルに消炎シートを取り付けた状態を示す正面図である。
【図４】消炎シートの変形例を示す正面図である。
【図５】本発明の一実施例の陰極線とアノードキャップの位置関係を示す斜視図である。
【図６】陰極線とアノードキャップの位置関係を示す側面図である。
【図７】陰極線管の背面図である。
【図８】消炎シートの好ましいサイズを示した説明図である。
【符号の説明】
【００３６】
１  表示装置（電子機器）
１０  陰極線管
１１  デガウスコイル
１２  アノード部
１３  高電圧配線
１４  アノードキャップ
２１  フライバックトランス
３０  消炎シート
３１  係止部
３１Ｂ  切込み部
３１Ｂ  取付孔
【図１】
2005244608.tif 000003
【図２】
2005244608.tif 000004
【図３】
2005244608.tif 000005
【図４】
2005244608.tif 000006
【図５】
2005244608.tif 000007
【図６】
2005244608.tif 000008
【図７】
2005244608.tif 000009
【図８】
2005244608.tif 000010